(57)【特許請求の範囲】
【請求項１】
牛枠と、該牛枠に載置される重石用の聖牛ブロックとで構成される聖牛において、
前記聖牛ブロックが、
複数個列設された箱型の框体と、
該框体の壁面のうち前記列設する方向に直交する壁面に配設された一対の隔壁材と、
前記框体の底部壁面と前記列設方向に平行な両側壁面とに、または、前記框体の少なくとも底部壁面に配設された椰子マットと、
前記框体の内部空間において前記一対の隔壁材の間に架設されその両端が外部に開口された連結用管と、
前記列設された框体における前記連結用管に連通された連結部材と、
前記框体の内部空間に打設されたコンクリートとからなること、
を特徴とする聖牛。
【請求項２】
複数個列設された箱型の框体と、
該框体の壁面のうち前記列設する方向に直交する壁面に配設された一対の隔壁材と、
前記框体の底部壁面と前記列設方向に平行な両側壁面とに、または、前記框体の少なくとも底部壁面に配設された椰子マットと、
前記框体の内部空間において前記一対の隔壁材の間に架設されその両端が外部に開口された連結用管と、
前記列設された框体における前記連結用管に連通された連結部材と、
前記框体の内部空間に打設されたコンクリートとからなること、
を特徴とする聖牛ブロック。
【請求項３】
箱型の框体における対向した一対の隔壁材の間に両端を外部に開口させて架設した連結用管を有した框体を形成し、
長方形状の椰子マットを敷き、
該椰子マットの上に当該マットの長手方向に沿って前記框体を前記連結用管が互いに連通するように列設し、
前記椰子マットを前記長手方向に平行で開口している前記框体の両側面を覆うように立ち上げて側壁を形成し、
前記框体の開口している上面からコンクリートを打設し、
前記連結用管に連結部材を挿通させること、
を特徴とする聖牛ブロックの製造方法。
【請求項４】
椰子マットを立ち上げて形成した框体の側壁は、隣接する框体間で切断されていること、
特徴とする請求項３に記載の聖牛ブロックの製造方法。
【請求項５】
河床に載置された牛枠の敷成材の上に椰子マットを敷設し、その椰子マットの上に框体を列設して施工すること、
を特徴とする請求項３または４に記載の聖牛ブロックの製造方法。
【発明の詳細な説明】
【０００１】
【発明の属する技術分野】
本発明は、聖牛（せいぎゅう）と聖牛ブロック及びその製造方法に係り、詳しくは、低コストにて製作が可能で、且つ、迅速に構築できる聖牛と、聖牛ブロックおよびその製造方法に関する。
【０００２】
【従来の技術】
従来、河川の構造物として、例えば、洪水時に水の勢いを弱め、堤防の破壊を防いだり、用水の取り入れのために堰を構築したり、堤防工事のために川を締め切る等するために用いられる、聖牛（川倉（かわくら）、笈牛（おいうし）、鳥脚（とりあし）とも言われる）が知られている。
【０００３】
前記聖牛２３は、図１０に示すように、丸太を三角錐の形に組んでロープや鉄線で縛って牛枠２０を組立て、該牛枠２０の敷成材２１に石俵や蛇籠（ジャカゴ）２２を重石にして載せて、水中に沈めて構築するものである（例えば、非特許文献１参照。）。
【０００４】
【非特許文献１】
大鐘測量設計株式会社、”●伝統的河川工法「聖牛」”
［online］、平成８年４月８日、［平成１４年９月２４日検索］
＜ＵＲＬ：http://www.ogane.co.jp/ogane/index.htm＞
＜ＵＲＬ：http://www.ogane.co.jp/seigyu/＞
【０００５】
【発明が解決しようとする課題】
しかしながら、前記石俵や蛇籠２２の製作には、多大な人力が必要であり、近年では型枠を作成してコンクリートを打設して蛇籠用ブロックを作るようになっているが、前記型枠の作成にコストが嵩み、また、作成された重い蛇籠用ブロックをトラック等で現地に運搬して、それをクレーン等で水中に投入するのも、労力の嵩むものである。本発明に係る聖牛、聖牛ブロックとその製造方法は、このような課題を解決するために提案されたものである。
【０００６】
【課題を解決するための手段】
上記課題を解決するための本発明に係る聖牛の要旨は、牛枠と、該牛枠に載置される重石用の聖牛ブロックとで構成される聖牛において、前記聖牛ブロックが、複数個列設された箱型の框体と、該框体の壁面のうち前記列設する方向に直交する壁面に配設された一対の隔壁材と、前記框体の底部壁面と前記列設方向に平行な両側壁面とに、または、前記框体の少なくとも底部壁面に配設された椰子マットと、前記框体の内部空間において前記一対の隔壁材の間に架設されその両端が外部に開口された連結用管と、前記列設された框体における前記連結用管に連通された連結部材と、前記框体の内部空間に打設されたコンクリートとからなることである。
【０００７】
本発明の聖牛ブロックの要旨は、複数個列設された箱型の框体と、該框体の壁面のうち前記列設する方向に直交する壁面に配設された一対の隔壁材と、前記框体の底部壁面と前記列設方向に平行な両側壁面とに、または、前記框体の少なくとも底部壁面に配設された椰子マットと、前記框体の内部空間において前記一対の隔壁材の間に架設されその両端が外部に開口された連結用管と、前記列設された框体における前記連結用管に連通された連結部材と、前記框体の内部空間に打設されたコンクリートとからなることである。
【０００８】
本発明に係る聖牛ブロックの製造方法の要旨は、箱型の框体における対向した一対の隔壁材の間に両端を外部に開口させて架設した連結用管を有した框体を形成し、長方形状の椰子マットを敷き、該椰子マットの上に当該マットの長手方向に沿って前記框体を前記連結用管が互いに連通するように列設し、前記椰子マットを前記長手方向に平行で開口している前記框体の両側面を覆うように立ち上げて側壁を形成し、前記框体の開口している上面からコンクリートを打設し、前記連結用管に連結部材を挿通させることである。
また、椰子マットを立ち上げて形成した框体の側壁は、隣接する框体間で切断されていること、；
更に、河床に載置された牛枠の敷成材の上に椰子マットを敷設し、その椰子マットの上に框体を列設して施工することを含むものである。
【０００９】
本発明に係る聖牛と聖牛ブロックによれば、河川現場にて入手容易な間伐材等を用いてブロック用の簡易な框体を型枠として形成し、天然のリサイクル素材である椰子マットを前記框体の壁体とすることで、製作コストが低減されるとともに、省資源化に貢献するものである。
【００１０】
また、本発明に係る聖牛ブロックの製造方法によれば、椰子マットを使用して簡易に作成できるとともに、軽量な框体なので、現地への運搬・搬入が容易となり、現地でコンクリートを框体内部に打設することで現地での作業が省力化される。また、連結用管にチェーンやワイヤー等の連結部材を挿通させることで聖牛ブロックを纏めて持ち上げられるようになって据え付けが容易となる。更に、聖牛ブロックは、底部以外は框体毎に列設方向に切断されているので、全体として屈撓性を有し、聖牛を設置する個所の接地面凹凸に柔軟に対応できる構成とすることができる。
【００１１】
【発明の実施の形態】
次に、本発明に係る聖牛と、聖牛ブロックおよびその製造方法について、図面を参照して説明する。従来例に対応する部分には、従来例と同一の符号を付けて説明する。
【００１２】
前記聖牛１は、図１に示すように、従来例と同様な三角錐形状の牛枠２０と、該牛枠２０に載置される重石用の聖牛ブロック２とで構成される。前記聖牛ブロック２の構成及び製造方法について説明する。
【００１３】
前記聖牛ブロック２における框体Ａは、図２に示すように、間伐材等を利用し四隅に配置される角材・丸材等の支持材３と、これに釘等を打ち付けて取り付けて対向配置に配設される間伐材製の一対の合板等の隔壁板４と、前記隔壁板４，４間に亘って略中央部において架設され、その両端が外部に開口された塩化ビニール製等の連結用管５とにより、略矩形状の箱体に形成される。
【００１４】
この框体Ａの上下壁面と、連結用管５の長手方向に平行な両側壁面とにおいては、部材がないので開口している。前記框体Ａの形状は、サイコロ状の箱体に限らず、変形した多角形体の全てを含むものである。
【００１５】
前記框体Ａは、予め工場で製作して、河川の現場に搬入する。そして、一実施例として、図３（Ａ），（Ｂ）に示すように、川の流れをせき止めて、河床に設置した牛枠２０の敷成材２１に、天然素材の椰子マット６を敷設する。
【００１６】
この椰子マット６の大きさは、その長手方向においては列設する框体Ａの全体長さに余裕を持って対応できる長さに設定され、短手方向では、框体Ａの開口している両側壁面と底壁面とを合計した長さに対して十分余裕のある長さに設定されている。
【００１７】
次に、図４に示すように、前記椰子マット６の上に当該マット６の長手方向に沿って、前記框体Ａを前記連結用管５が、該管の開口端部を突き合わされて、互いに連通するように列設する。
【００１８】
次に、図５（Ａ），（Ｂ）に示すように、前記椰子マット６を、前記長手方向に平行で開口している前記框体Ａの両側壁面を覆うように立ち上げて側壁６ａ，６ｂを形成する。
【００１９】
そして、前記椰子マット６による側壁６ａ，６ｂを框体Ａにしっかりと保持させるべく、間伐材製で四角枠にした押さえ用の補強板７を、前記框体Ａ毎の側壁６ａ，６ｂに当てがい、釘等を支持材３及び隔壁板４に打ち付けて、椰子マット６を挟み付けて固定する。前記側壁６ａ，６ｂの上部の余った余長部分６ｃ，６ｄはカッター等でカットする。
【００２０】
次に、図６に示すように、前記列設されている各々の框体Ａの開口している上面から、この施工現場にてコンクリート８を打設する。框体Ａは、前記隔壁板４，４と、椰子マットの側壁６ａ，６ｂと、椰子マットの底壁面とにとって、コンクリート用の型枠となっているものである。
【００２１】
更に、図７に示すように、連通されている前記連結用管５，５，…に、チェーン若しくは鋼製ワイヤー等の連結部材９を挿通させる。この連結部材９の両端部は、エンドプレート処理を施す。
【００２２】
そして、打設したコンクリート８が養生・硬化し、所要強度の発現後に、前記椰子マット６で形成された側壁６ａ，６ｂのみにおいて、前記列設された框体Ａと隣接する框体Ａ間において、カッターにより上下方向に切断する。なお、椰子マット６による底壁面は、切断することなく一体に繋げておく。
【００２３】
前記各框体Ａは、前記連結部材９で繋げられ、底壁面では椰子マット６で繋がっているものの、列設方向においては、隔壁板４で仕切られているので、一つの聖牛ブロック２として、敷成材２１や河床の凹凸に柔軟に対応できる屈撓性を有するものである。
【００２４】
このようにして、聖牛ブロック２が構成されるものである。なお、河床の凹凸に対応して、例えば、図８に示すように、上記標準の框体Ａの他に、勾配に応じた連結用管５ａを配設した、たれ部用の框体Ｂを設けて、聖牛ブロック２ａとすることがある。
【００２５】
また、牛枠２０の尻部２０ａを押さえるため、図９に示すように、単体で形成した框体Ａを前記尻部２０ａの両脇に配設して、ワイヤー若しくはチェーン等の連結部材９ａを前記尻部２０ａの交差部に巻き付けて、前記框体Ａの連結用管５に挿通させることで、当該尻部２０ａの浮き上がりを防止するものである。
【００２６】
この場合に、椰子マット６は、単体の框体Ａの底壁面と両側壁面とを十分に覆う大きさでよい。コンクリート８を打設した後に、椰子マット６の余長部分はカットする。
【００２７】
本発明の他の実施例として、聖牛設置現場の近くにおいて打設ヤードを設け、上記と同様に、聖牛ブロック２を製造した後に、前記連結部材９のエンド処理部にフックを掛け、クレーン等で持ち上げて、敷成材２１に据え付けることもできる。
【００２８】
更に、他の実施例として、聖牛ブロック２の製造方法において、椰子マット６によって、框体の側壁を形成した後に、隣接する框体Ａ間で上下に切断したが、これに限らず、予め、聖牛１の規模に応じて設定される框体Ａの寸法により、側壁となる椰子マット面の部分に切断線を入れて切断しておくこともできる。更に、椰子マットの側壁面の切断の時期は、聖牛ブロック２の設置状況に応じて、框体Ａにコンクリート８を打設する前でも良い。
【００２９】
【発明の効果】
上記説明したように、本発明に係る聖牛は、牛枠と、該牛枠に載置される重石用の聖牛ブロックとで構成される聖牛において、前記聖牛ブロックが、複数個列設された箱型の框体と、該框体の壁面のうち前記列設する方向に直交する壁面に配設された一対の隔壁材と、前記框体の底部壁面と前記列設方向に平行な両側壁面とに、または、前記框体の少なくとも底部壁面に配設された椰子マットと、前記框体の内部空間において前記一対の隔壁材の間に架設されその両端が外部に開口された連結用管と、前記列設された框体における前記連結用管に連通された連結部材と、前記框体の内部空間に打設されたコンクリートとからなるので、間伐材を使用して框体が作成され、且つ、天然リサイクル素材の椰子マットが使用されることにより、製造コストを低減できると共に、地元水源である山林環境に貢献するものとなると言う優れた効果を奏するものである。
【００３０】
本発明に係る聖牛ブロックは、複数個列設された箱型の框体と、該框体の壁面のうち前記列設する方向に直交する壁面に配設された一対の隔壁材と、前記框体の底部壁面と前記列設方向に平行な両側壁面とに、または、前記框体の少なくとも底部壁面に配設された椰子マットと、前記框体の内部空間において前記一対の隔壁材の間に架設されその両端が外部に開口された連結用管と、前記列設された框体における前記連結用管に連通された連結部材と、前記框体の内部空間に打設されたコンクリートとからなるので、柔軟な椰子繊維を型枠の一部としていて、河床の設置個所にフィットした聖牛ブロックとなる。また、列設された複数個の框体が連結部材で連結され椰子マットで底壁面が繋がっているが、各框体毎に隔壁材で分断されているので、設置個所の凹凸に柔軟に対応できる屈撓性に優れた聖牛ブロックとなる。前記框体の組合せにより、任意の大きさ・長さの聖牛に対応させることができる。
【００３１】
本発明に係る聖牛ブロックの製造方法は、箱型の框体における対向した一対の隔壁材の間に両端を外部に開口させて架設した連結用管を有した框体を形成し、長方形状の椰子マットを敷き、該椰子マットの上に当該マットの長手方向に沿って前記框体を前記連結用管が互いに連通するように列設し、前記椰子マットを前記長手方向に平行で開口している前記框体の両側面を覆うように立ち上げて側壁を形成し、前記框体の開口している上面からコンクリートを打設し、前記連結用管に連結部材を挿通させるので、間伐材と椰子マットの使用により、低コストで製作することができる。そして、框体が軽量となるので、現場への搬入が容易になり、省力化となる。椰子マットを框体の底壁面とすることで、河床の凹凸にフィットした施工が可能となる。また、聖牛ブロックが屈撓性に優れているので、現場での据え付け工事が容易に行えるようになる。
【００３２】
更に、上記聖牛ブロックの製造方法において、椰子マットを立ち上げて形成した框体の側壁は、隣接する框体間で切断されていることにより、屈撓性に優れたものとなる。また、河床に載置された牛枠の敷成材の上に椰子マットを敷設し、その椰子マットの上に框体を列設して施工することとすれば、軽量の框体を敷成材に載置して、その後にコンクリートを框体内に打設することから、現場での作業が省力化されて、工期短縮となる。
【図面の簡単な説明】
【図１】本発明に係る聖牛１の概略構成を示す平面図である。
【図２】本発明に係る聖牛１における、框体Ａの斜視図である。
【図３】同本発明に係る聖牛１において、聖牛ブロック２を製造する方法を説明する説明図（Ａ），（Ｂ）である。
【図４】同本発明に係る聖牛ブロック２を製造する方法を説明する説明図である。
【図５】同本発明に係る聖牛ブロック２を製造する方法を説明する説明図（Ａ），（Ｂ）である。
【図６】同本発明に係る聖牛ブロック２を製造する方法を説明する説明図である。
【図７】同本発明に係る聖牛ブロック２を製造する方法を説明する説明図である。
【図８】本発明に係る聖牛ブロック２ａの実施態様を示す説明図（Ａ），（Ｂ）である。
【図９】同本発明に係る聖牛ブロック２により、牛枠の尻部２０ａの浮き上がりを防止する場合の、平面図（Ａ）と断面図（Ｂ）である。
【図１０】従来例に係る牛枠２０の正面図（Ａ）と、聖牛２３の側面図（Ｂ）である。
【符号の説明】
１          聖牛、                ２          聖牛ブロック、
３          支持部材、            ４          隔壁板、
５，５ａ    連結用管、            ６          椰子マット、
６ａ，６ｂ  側壁、                ６ｃ，６ｄ  余長部分、
７          補強板、              ８          コンクリート、
９，９ａ    連結部材、            ２０        牛枠、
２０ａ      尻部、                ２１        敷成材、
２２        石俵や蛇籠、          ２３        従来の聖牛。
【図１】
0003654880.tif 000002
【図２】
0003654880.tif 000003
【図３】
0003654880.tif 000004
【図４】
0003654880.tif 000005
【図５】
0003654880.tif 000006
【図６】
0003654880.tif 000007
【図７】
0003654880.tif 000008
【図８】
0003654880.tif 000009
【図９】
0003654880.tif 000010
【図１０】
0003654880.tif 000011